(57)【要約】【課題】ユーザにとって使い勝手がよいと共に、装置の複雑化を抑制し安価に構成することができるファクシミリ装置を提供すること。【解決手段】数字キーＮＫへの入力に応じて、入力された数字（管理番号）で特定される画像ファイルに対応した画像が、ＬＣＤ４１に表示され、表示された画像は、＊キーＳＫ１又は＃キーＳＫ２への入力に応じて回転されるので、各キーにより指示できる機能が、ユーザにとって理解しやすく使用が容易であると共に、ファクシミリ装置に従来より設けられていた数字キーＮＫ、＊キーＳＫ１および＃キーＳＫ２を効率的に利用できる。数字キーＮＫを利用して管理番号を入力させると、数字（管理番号）を入力する操作と、数字キーＮＫとの対応関係が分かり易く、ユーザにとって理解しやすい。いずれの画像を表示させるかの指示においては、数字キーＮＫに比べて使用し難い＊キーＳＫ１や＃キーＳＫ２は、画像回転の指示に使用できる。【選択図】図４
2007306178.tif 000002
【特許請求の範囲】
【請求項１】
原稿を読み取りデータを得る読取手段または／および外部からデータを受け取る受取手段と、
数字または記号に対応する複数のキーと、
前記複数のキーへの入力に応じて数字または／および記号で構成されるファクシミリ番号を得るファクシミリ番号取得手段と、
前記ファクシミリ番号を送信先のファクシミリ番号として、ファクシミリデータを送信する送信手段とを備えたファクシミリ装置において、
前記読取手段が得たデータまたは／および前記受取手段が外部から受け取ったデータに対応する画像を表示する表示手段と、
前記複数のキーのうち所定のキーへの入力に応じて、前記表示手段に表示された画像を回転または拡大する表示画像編集手段とを備えることを特徴とするファクシミリ装置。
【請求項２】
前記複数のキーは、０から９までの整数のいずれかに対応する複数の数字キーと、＊（アスタリスク）に対応する＊キーと、＃（シャープ）に対応する＃キーとを含み、
前記数字キーへの入力に応じて、前記受取手段が外部から受け取ったデータに対応する画像のうちいずれかを前記表示手段に表示する画像表示制御手段を備え、
前記表示画像編集手段は、＊キー又は＃キーへの入力に応じて、前記表示手段に表示された画像を回転または拡大することを特徴とする請求項１記載のファクシミリ装置。
【請求項３】
前記＊キーと前記＃キーとは、少なくとも１つの数字キーの左右に配置され、
前記表示画像編集手段は、前記＊キーと前記＃キーとのうち、前記数字キーの左側に配置されるキーへの入力に応じて、前記表示手段に表示された画像を左回転させ、前記数字キーの右側に配置されるキーへの入力に応じて、前記表示手段に表示された画像を右回転させることを特徴とする請求項２記載のファクシミリ装置。
【請求項４】
前記ファクシミリデータに対応する画像を、前記表示手段に表示するプレビュー手段を備え、
前記送信手段は、前記ファクシミリデータに対応する画像が前記表示手段に表示される状態で、ファクシミリ装置が備える特定のキーが入力を受けることを条件として前記ファクシミリデータを送信し、
前記表示画像編集手段は、前記複数のキーのうち所定のキーへの入力に応じて前記ファクシミリデータに対応する画像を回転または拡大することを特徴とする請求項１から３のいずれかに記載のファクシミリ装置。
【発明の詳細な説明】
【技術分野】
【０００１】
本発明はファクシミリ装置に関し、特に、ユーザにとって使い勝手がよいと共に、装置の複雑化を抑制し安価に構成することができるファクシミリ装置に関するものである。
【背景技術】
【０００２】
ファクシミリ機能・プリンタ機能・スキャナ機能・コピー機能などを備えた複合機は従来からあるが、近年は小型化・低価格化され、一般に普及してきている。
【０００３】
さらに、複合機にメモリカードスロットやＵＳＢスロットを設け、デジタルカメラで撮影した画像などを保存したメモリカードやＵＳＢメモリからパーソナルコンピュータ（以下、ＰＣと称する）を介さず直接プリンタで印刷するダイレクトプリント機能を備えた複合機も増えてきている。そのような複合機はカラー液晶表示装置など大型の表示部を備えて、画像を確認した後、印刷できるようになっている。
【０００４】
デジタルカメラで撮影した画像などには、縦長で閲覧すべき画像と横長で閲覧すべき画像とがある。これは、例えば風景はランドスケープ（横長）で撮影され、人物画はポートレート（縦長）で撮影されることが多いためである。
【０００５】
そのため、横長の表示部には、閲覧する向きとは９０度ずれた向きで人物画が表示されることになる。これを回転させて、本来閲覧する向きに向けて確認したいという要望がある。また、複合機が大型の表示部を備えたといっても、価格との兼ね合い上、ある程度の大きさにせざるを得ない。そのため、画像の詳細な確認のためには表示部の画像全体を表示するのみではなく、その一部を拡大表示して見たいという使用者の要望も考えられる。
【０００６】
したがって、例えば、傾いた画像をタッチパネルを兼ねた表示部に表示させ、ユーザがタッチパネルを操作すると画像を回転させるように構成された複合機が提案されている（例えば、特許文献１参照）。
【特許文献１】特開平１０−２８５８０号公報
【発明の開示】
【発明が解決しようとする課題】
【０００７】
しかしながら、タッチパネルの操作で画像を回転させるように構成すると、表示部にタッチパネル用のセンサ、およびそのセンサから画像回転の制御を行うＣＰＵまで信号を伝えるためのハード構成が必要となり、さらにはタッチパネル表面を保護する保護部材も必要になり、低価格化してきた装置に搭載するのは現実的ではないという問題点があった。また、ユーザにとっては、画像の回転のときにはタッチパネルを操作し、他の入力のときには他のキーを操作する必要があり、操作が煩わしいという問題点があった。
【０００８】
タッチパネルの代わりに回転の専用キーを設けた場合も同様で、操作部に専用キーを備え、キーへの入力を信号としてＣＰＵまで伝えるためのハード構成が必要となり、低価格化してきた装置に搭載するのは現実的ではないという問題点がある。
【０００９】
また、装置を小型化するために、操作部は可能な限りコンパクトに設計されるが、専用キーを設けると、その分、他のキーの設置面積が制限され、ユーザにとって使用しやすい操作部の設計が困難になる。
【００１０】
さらに、ユーザにとっては、画像の回転のときにはタッチパネルを操作し、他の入力のときには他のキーを操作する必要があり、操作が煩わしい。
【００１１】
本発明は上述した問題点を解決するためになされたものであり、ユーザにとって使い勝手がよいと共に、装置の複雑化を抑制し安価に構成することができるファクシミリ装置を提供することを目的としている。
【課題を解決するための手段】
【００１２】
この目的を達成するために、請求項１記載のファクシミリ装置は、原稿を読み取りデータを得る読取手段または／および外部からデータを受け取る受取手段と、数字または記号に対応する複数のキーと、前記複数のキーへの入力に応じて数字または／および記号で構成されるファクシミリ番号を得るファクシミリ番号取得手段と、前記ファクシミリ番号を送信先のファクシミリ番号として、ファクシミリデータを送信する送信手段とを備えたものであって、前記読取手段が得たデータまたは／および前記受取手段が外部から受け取ったデータに対応する画像を表示する表示手段と、前記複数のキーのうち所定のキーへの入力に応じて、前記表示手段に表示された画像を回転または拡大する表示画像編集手段とを備えることを特徴とする。
【００１３】
請求項２記載のファクシミリ装置は、請求項１記載のファクシミリ装置において、前記複数のキーは、０から９までの整数のいずれかに対応する複数の数字キーと、＊（アスタリスク）に対応する＊キーと、＃（シャープ）に対応する＃キーとを含み、前記数字キーへの入力に応じて、前記受取手段が外部から受け取ったデータに対応する画像のうちいずれかを前記表示手段に表示する画像表示制御手段を備え、前記表示画像編集手段は、＊キー又は＃キーへの入力に応じて、前記表示手段に表示された画像を回転または拡大することを特徴とする。
【００１４】
請求項３記載のファクシミリ装置は、請求項２記載のファクシミリ装置において、前記＊キーと前記＃キーとは、少なくとも１つの数字キーの左右に配置され、前記表示画像編集手段は、前記＊キーと前記＃キーとのうち、前記数字キーの左側に配置されるキーへの入力に応じて、前記表示手段に表示された画像を左回転させ、前記数字キーの右側に配置されるキーへの入力に応じて、前記表示手段に表示された画像を右回転させることを特徴とする。
【００１５】
請求項４記載のファクシミリ装置は、請求項１から３のいずれかに記載のファクシミリ装置において、前記ファクシミリデータに対応する画像を、前記表示手段に表示するプレビュー手段を備え、前記送信手段は、前記ファクシミリデータに対応する画像が前記表示手段に表示される状態で、ファクシミリ装置が備える特定のキーが入力を受けることを条件として前記ファクシミリデータを送信し、前記表示画像編集手段は、前記複数のキーのうち所定のキーへの入力に応じて前記ファクシミリデータに対応する画像を回転または拡大することを特徴とする。
【発明の効果】
【００１６】
請求項１記載のファクシミリ装置によれば、ファクシミリ番号取得手段により、数字または記号に対応する複数のキーへの入力に応じて数字または／および記号で構成されるファクシミリ番号が得られる。そして、その得られたファクシミリ番号を送信先のファクシミリ番号として、送信手段により、ファクシミリデータが送信される。
【００１７】
ここで、表示画像編集手段により、前記複数のキーのうち所定のキーへの入力に応じて、表示手段に表示された画像が回転または拡大される。よって、ユーザにとって使い勝手がよいと共に、装置の複雑化を抑制し安価に構成することができるという効果がある。すなわち、一般的なファクシミリ装置は、従来より、ファクシミリ番号を入力するための複数のキーを備えている。よって、これを利用して表示手段に表示された画像を回転、または拡大の指示を入力させることにより、これらを指示するための専用のキーやタッチパネル、および専用キーやタッチパネルからの信号をＣＰＵまで伝えるための構成を別途設ける必要がないのである。
【００１８】
請求項２記載のファクシミリ装置によれば、請求項１記載のファクシミリ装置の奏する効果に加え、画像表示制御手段により、数字キーへの入力に応じて、受取手段が外部から受け取ったデータに対応する画像のうちいずれかが表示手段に表示され、表示画像編集手段により、＊キー又は＃キーへの入力に応じて、表示手段に表示された画像が回転または拡大されるので、各キーにより指示できる機能が、ユーザにとって理解しやすく使い勝手が良いと共に、一般的なファクシミリ装置に従来より設けられていたファクシミリ番号を入力するための数字キー、＊キーおよび＃キーを効率的に利用できるという効果がある。すなわち、受取手段により外部から受け取ったデータに対応する画像が複数ある場合、例えば、各画像に番号を付し、いずれの画像を表示するかを、数字キーから入力させる番号により選択させると、ユーザにとって操作方法が理解しやすい。しかも、数字キーは元々ファクシミリ番号を入力するために備えられているため、ファクシミリ装置に無駄な構成が必要ない。また、数字キーに比べて番号の入力には使用し難い＊キーや＃キーを、画像の回転、拡大の指示に使用するようにしたことで、数字キーを画像の回転、拡大の指示に使用する必要がないため、より操作がわかりやすい。また、元々ファクシミリ番号を入力するために備えられている＊キーや＃キーを、画像の回転、拡大の指示に使用するため、ファクシミリ装置に無駄な構成が必要ない。
【００１９】
請求項３記載のファクシミリ装置によれば、請求項２記載のファクシミリ装置の奏する効果に加え、表示画像編集手段は、＊キーと＃キーとのうち、数字キーの左側に配置されるキーへの入力に応じて、表示手段に表示された画像を左回転させ、数字キーの右側に配置されるキーへの入力に応じて、表示手段に表示された画像を右回転させるので、各キーにより指示できる機能が、ユーザにとって直感的に理解しやすく使用が容易であり、使い勝手が良いという効果がある。
【００２０】
請求項４記載のファクシミリ装置によれば、請求項１から３のいずれかに記載のファクシミリ装置の奏する効果に加え、プレビュー手段により、ファクシミリデータに対応する画像が表示手段に表示され、表示画像編集手段により、複数のキーのうち特定のキーへの入力に応じてファクシミリデータに対応する画像が回転または拡大されるので、ファクシミリ送信の前にファクシミリデータの内容を詳細に目視することを、ファクシミリ送信のために設けられたキー以外のキーを必要とせずに行うことができ、ユーザにとって使い勝手が良いという効果がある。
【発明を実施するための最良の形態】
【００２１】
以下、本発明の好ましい実施例について、添付図面を参照して説明する。図１は、本発明における実施例の複合機１の外観構成を示す斜視図であり、図２は原稿カバー８が開けられた状態の複合機１の外観構成を示す斜視図である。なお、以下の実施例は本発明を具体化した一例にすぎず、本発明の要旨を変更しない範囲で、実施例を適宜変更できることは言うまでもない。
【００２２】
図示するように、本複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を実現する。
【００２３】
また、複合機１は、デジタルカメラ等の外部装置と接続されて外部装置から受け取ったデータを記録用紙に記録したり、メモリカード等の各種記憶媒体を装填して、該記憶媒体に記憶されたデータ等を受け取り、記録用紙に記録するメディア機能を実現する。さらに、複合機１は、主に不図示のコンピュータと接続されて、該コンピュータから送信された画像データや文書データに基づいて、記録用紙に画像や文書を記録することができる。また、本複合機１は、各種機能の実行により複合機１が取得したデータを、複合機１に接続された外部機器に送信することで、記憶手段を持った外部機器にデータを記憶させる機能や、外部機器にデータの加工、表示、送信、印刷などの処理を行わせる機能を実現するものであってもよい。なお、本発明を適用するうえで、上記した全ての機能が複合機１に備えられている必要はない。また、本複合機１は、記録用紙だけに限らず、ＯＨＰ用の透明フィルムシートや布などにも画像を記録することが可能である。
【００２４】
スキャナ３は、ＦＢＳ（Ｆｌａｔｂｅｄ  Ｓｃａｎｎｅｒ）として機能する原稿読取台６に対して、自動原稿搬送機構（ＡＤＦ：Ａｕｔｏ  Ｄｏｃｕｍｅｎｔ  Ｆｅｅｄｅｒ、以下「ＡＤＦ」という。）７を備えた原稿カバー８が、背面側の蝶番１１(図２参照)を介して開閉自在に取り付けられてなる。図２に示すように、原稿読取台６の上面にはプラテンガラス１２が配設されており、原稿読取台６の内部には、図示しない画像読取ユニットが内蔵されている。
【００２５】
プラテンガラス１２は、縦幅より横幅が長い平面視で横長の長方形に形成されている。このプラテンガラス１２は、長方形の原稿を横向きに載置することが可能な大きさを有する。具体的には、レターサイズ（２１５．９ｍｍ×２７９．４ｍｍ（８．５インチ×１１インチ））の原稿とＡ４サイズ（２１０ｍｍ×２９７ｍｍ）の原稿が横向きに載置可能な大きさに形成されている。したがって、プラテンガラス１２は、平面視でその縦幅がレターサイズ原稿の短辺長さ（２１５．９ｍｍ）に対応した寸法に設計されており、その横幅がＡ４サイズの長辺長さ（２９７ｍｍ）に対応した寸法に設計されている。ここで、上記した横向きとは、原稿の長辺が横を向くように、言い換えれば、原稿の長辺が複合機１の幅方向に揃えられる向きである。
【００２６】
上記したプラテンガラス１２のサイズに合わせて、上記画像読取ユニットにより読み取ることが可能な原稿の最大サイズ(最大読取可能サイズ)が設定されている。詳細には、上記画像読取ユニットが備えるラインイメージセンサの主走査方向の長さはレターサイズ原稿の短辺長さに対応して２１５．９ｍｍ以上に設計されており、また、画像読取ユニットが装置幅方向へ移動しながら走査するときの移動距離はＡ４サイズの長辺長さに対応して２９７ｍｍ以上に設定されている。なお、プラテンガラス１２のサイズや画像読取ユニットによる最大読取可能サイズは適宜変更可能である。
【００２７】
原稿読取台６の上面は大きく開口されており、その開口部にプラテンガラス１２が嵌め込まれている。原稿読取台６の内部には、上記画像読取ユニットの移動スペースや、画像読取ユニット或いはそれを支持する部材および駆動させる機構などを配設するスペースが確保されているため、原稿読取台６の上面はプラテンガラス１２よりも大きく形成されているが、原稿読取台６は、プラテンガラス１２と平面視で概ね相似形に形成されている。即ち、原稿読取台６は、プラテンガラス１２と同様に、平面視で横方向に長く且つ所定高さの直方体に形成されている。
【００２８】
このように構成されたスキャナ３をＦＢＳとして使用する場合は、原稿カバー８を開いてプラテンガラス１２上に原稿を載置し、その後、原稿カバー８を閉じて当該原稿を固定する。そして、読取開始指令が入力されると、上記画像読取ユニットがプラテンガラス１２の裏面に沿って走査される。これにより、ＦＢＳによる原稿の画像読取りが行われる。
【００２９】
上記画像読取ユニットは、複合機１の奥行き方向を主走査方向とするラインイメージセンサを備えたものであり、光源を発光させて原稿に光を照射し、原稿からの反射光をレンズにより光電変換素子に導き、光電変換素子が反射光強度に応じた電気信号を出力することによって画像を読み取る。ラインイメージセンサとしては、密着型のＣＩＳ（Ｃｏｎｔａｃｔ  Ｉｍａｇｅ  Ｓｅｎｓｏｒ）、或いは、縮小光学系のＣＣＤ（Ｃｈａｒｇｅ  Ｃｏｕｐｌｅｄ  Ｄｅｖｉｃｅ）や、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ：相補型金属酸化膜半導体）などを適用することができる。なお、画像読取ユニットやスキャナ３の内部構成の構成は本発明に直接関係がないので、ここでは詳細な説明は省略する。
【００３０】
ＡＤＦ７は、原稿トレイ９から原稿排出トレイ１０へ原稿搬送路を通じて原稿を搬送するものである。ＡＤＦ７による原稿の搬送過程において、原稿が原稿読取台６上の読取面１３を通過され、該読取面１３の下方に待機する上記画像読取ユニットによって該原稿の画像が読み取られる。このようなＡＤＦ７による画像読取りは、原稿カバー８が原稿読取台６に対して閉じられた状態で行われる。なお、本発明においてＡＤＦ７は任意の構成であり、スキャナ３がＡＤＦ７を具備せず、ＦＢＳとしてのみ画像読取を行うものであってもよい。したがって、ＡＤＦ７の詳細な説明については省略する。
【００３１】
プリンタ２は、スキャナ３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ２は、上述したように、スキャナ３の下方に配設されている。スキャナ３とプリンタ２は、それらの背面が同一面となるように位置決めされているため、複合機１の背面は凸凹のない平坦形状となっている。なお、言うまでもないが、上記インクジェット方式はプリンタ２による画像記録方式の単なる一例であり、電子写真方式や熱転写方式などの種々の画像記録方式を採用することができるのはもちろんである。
【００３２】
複合機１の正面側、換言すれば、プリンタ２の正面側には開口５が形成されている。この開口５内に給紙トレイ１４及び排紙トレイ１５が完全に内包されるように設けられている。給紙トレイ１４と排紙トレイ１５は上下二段となるように配設されており、上段に排紙トレイ１５が設けられ、その下方に給紙トレイ１４が設けられている。給紙トレイ１４は、略長方形の器状に形成されており、長方形の記録用紙を平面視で縦向きに積載するものである。ここで、縦向きとは、記録用紙の長辺が複合機１の奥行き方向に揃えられる向きである。給紙トレイ１４は、レターサイズおよびＡ４サイズの用紙を縦向きにして収容可能なサイズに形成されており、詳細には、給紙トレイ１４の縦長さはＡ４サイズの長辺長さに対応して２９７ｍｍ以上に形成されており、横長さはレターサイズの短辺長さに対応して２１５．９ｍｍ以上に形成されている。
【００３３】
上述の如く形状に給紙トレイ１４が形成されているため、プリンタ２で記録可能な最大サイズ(最大記録可能サイズ)もレターサイズ及びＡ４サイズの用紙に画像記録を行い得るサイズに設計されている。例えば、プリンタ２がインクジェット記録装置である場合は、インクジェット記録ヘッドがインク滴を吐出しながらスライド移動する移動範囲はレターサイズの短辺長さに対応して２１５．９ｍｍ以上に設定されている。
【００３４】
プリンタ２の正面側の端面１７は、上述したように原稿読取台６が横長の直方体に形成されているため、スキャナ３の正面側の端面１８から所定幅だけ正面側に突出している。以下、このように正面側に突出したプリンタ２の正面側の端部を突出部１６と称する。なお、プリンタ２の横幅はスキャナ３の横幅に合わせて形成されている。従って、複合機１は平面視で略正方形をなしている。
【００３５】
上述したように、原稿読取台６はレターサイズの原稿を横向きに載置可能なサイズに形成され、給紙トレイ１４は記録用紙を縦向きに載置可能なサイズに形成されているため、上記突出部１６の突出幅は、プリンタ２の縦幅から原稿読取台６の縦幅を差し引いた幅、言い換えれば、Ａ４サイズの長辺長さからレターサイズの短辺長さを差し引いた幅に概ね設定される。したがって、突出部１６の上方には、プリンタ２の横幅がスキャナ３の横幅に合わせて形成されていることもあって、横長の直方体の空きスペースが生まれる。なお、後段で詳述するが、本複合機１の操作パネル４は当該空きスペースに配設される。
【００３６】
プリンタ２には、給紙トレイ１４の奥側から上方へ延びた後に正面側へＵ字状に湾曲して排紙トレイ１５に連結される用紙搬送路が設けられている。給紙トレイ１４に収容された記録用紙は、その短辺を先頭にして用紙搬送路に送り出され、Ｕターン搬送されることによって用紙搬送路中に設けられた画像記録位置に案内される。そして、該画像記録位置で、上記インクジェット記録装置によって画像が記録用紙に記録される。画像記録後の記録用紙は排紙トレイ１５に排出される。
【００３７】
複合機１の正面側には、操作パネル４が設けられている。操作パネル４は、突出部１６の上方の空きスペースに適合するよう、図１および図２に示す如く横長形状に形成されている。換言すれば、操作パネル４は、その縦幅が、スキャナ３の縦幅からプリンタ２の縦幅を減じた長さ(空きスペースの縦幅)に収まる寸法に形成されている。操作パネル４は、プリンタ２やスキャナ３を操作するためのものであり、各種操作キー４０と液晶ディスプレイ（ＬＣＤ：Ｌｉｑｕｉｄ  Ｃｒｙｓｔａｌ  Ｄｉｓｐｌａｙ）４１とを具備する。ユーザは、操作パネル４を用いて、所望の指令を入力することができる。複合機１に所定の指令が入力されると、その入力された情報に基づいて該複合機１の動作が制御部２０によって制御される。操作パネル４の具体的な構成については後段で詳述する。なお、複合機１は、操作パネル４から入力された指令のほか、コンピュータに接続されて該コンピュータからプリンタドライバやスキャナドライバ等を介して送信される指令に基づいて動作するようにシステム構成されている。
【００３８】
プリンタ２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０により読み出されると、その読み出された画像データや該画像データに関する情報が制御部２０によってＬＣＤ４１に表示される。或いは、選択された任意の画像がプリンタ２において記録用紙に記録される。
【００３９】
図３を参照して、複合機１の動作を制御する制御部２０の概略構成について説明する。図３は、複合機１の制御部２０の概略構成を示すブロック図である。制御部２０は、プリンタ２、スキャナ３及び操作パネル４を含む複合機１の動作を統括的に制御するものである。制御部２０は、図に示すように、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００４０】
ＣＰＵ２１は、この複合機１を総括的に制御する中央演算処理であり、図５から図７のフローチャートで示す処理を実行するプログラムなどの各種プログラムを実行する。ＲＯＭ２２には、複合機１の各種動作を制御するためのプログラム等が格納されている。
【００４１】
ＲＡＭ２３は、ＣＰＵ２１が上記プログラムを実行する際に用いる各種データを一時的に記録する記憶領域又は作業領域として使用され、モードメモリ２３ａを備える。モードメモリ２３ａは、ユーザにより設定されたモードの種類を記憶するメモリである。ユーザは、操作パネル４のモードキー４０Ｂ（図４（ａ）参照）から入力することにより、ファクシミリ機能を実現するファクシミリモード、原稿を読み取りそのデータを印刷出力するコピー機能を実現するコピーモード、原稿を読み取りその読み取り画像データを得るスキャナ機能を実現するスキャナモード、スロット部７２に挿入されたメモリカードやＵＳＢ端子７１に接続された外部装置からデータを受け取り、ＬＣＤ４１に表示し又は記録用紙に記録するメディア機能を実現するメディアモードのうち、いずれかのモードを設定することができる。
【００４２】
ＡＳＩＣ２６は、ＣＰＵ２１からの指令に従い、プリンタ２、スキャナ３、操作パネル４、及びスロット部７２の動作制御を行う（例えば、プリンタ２を駆動するモータやインクジェット記録ヘッド、スキャナ３のＡＤＦ７を駆動するモータや画像読取ユニット等の動作を制御する）。プリンタ２、スキャナ３及びスロット部７２は、公知の構成であるので詳細な説明は省略する。
【００４３】
ＡＳＩＣ２６には、複合機１に所望の指令を入力する操作キー４０を制御するパネルゲートアレイ２７が接続されている。パネルゲートアレイ２７は、操作キー４０の押下（入力）を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００４４】
ＡＳＩＣ２６には、ＬＣＤ４１の画面表示を制御するＬＣＤコントローラ２８が接続されている。ＬＣＤコントローラ２８は、ＣＰＵ２１の指令に基づいて、ＬＣＤ４１にプリンタ２又はスキャナ３の動作に関する情報を画面に表示させる。具体的には、ＣＰＵ２１が、ＬＣＤ４１に表示させるべき画像に対応する画像データを、ＲＡＭ２３に備えられた図示しない表示メモリに記憶させるようになっており、この表示用の画像データを、ＬＣＤコントローラ２８が読み取り、ＬＣＤ４１に表示するようになっている。また、スキャナ３により読み取られたデータに対応する画像を画面に表示させ、または、接続された外部装置やスロット部７２に挿入されたメモリカードから受け取ったデータに対応する画像を画面に表示させる。
【００４５】
また、ＡＳＩＣ２６には、コンピュータとパラレルケーブル又はＵＳＢケーブルを介してデータの送受信を行うためのパラレルインタフェース２９及びＵＳＢ端子７１が接続されている。また、ＵＳＢ端子７１には、ＵＳＢケーブルを介して、デジタルカメラやパーソナルコンピュータなどの外部装置を接続可能である。さらに、ＡＳＩＣ２６には、ファクシミリ機能を実現するためのＮＣＵ（Ｎｅｔｗｏｒｋ  Ｃｏｎｔｒｏｌ  Ｕｎｉｔ）３１やモデム３２が接続されている。また、ネットワーク上に存在するコンピュータとデータの送受信を行うための、図示しないネットワークインターフェースを備えていてもよい。
【００４６】
また、ＡＳＩＣ２６には、アンプ７３が接続されている。アンプ７３は、そのアンプ７３に接続されたスピーカ７４を鳴動して、呼出音や拒否音、メッセージなどを出力するためのものである。
【００４７】
以下、複合機１の操作パネル４について詳細に説明する。図１および図２に示すように、操作パネル４は、プリンタ２の突出部１６の上方であって、スキャナ３の正面側に設けられている。この操作パネル４は、各種操作キー４０Ａ，４０Ｂ，４０Ｃ，４０ＤとＬＣＤ４１とを具備する。
【００４８】
図４（ａ）は、操作パネル４の構成を示す部分平面図である。図４（ａ）に示すように、ＬＣＤ４１は、平面視が横長矩形であり、その縦幅（縦寸法）が操作パネル４の奥行き寸法より若干小さいものの、該操作パネル４の奥行き寸法と略同寸法に形成されている。したがって、ＬＣＤ４１の奥側及び手前側には、操作パネル４に操作キー４０Ａ，４０Ｂ，４０Ｃ，４０Ｄを配置するためのスペースがない。換言すれば、ＬＣＤ４１は、操作パネル４に配置可能な最大の縦幅に大型化されている。一方、ＬＣＤ４１の横幅（横寸法）は、その縦幅の４／３倍よりも長いものである。換言すれば、ＬＣＤ４１の縦幅に対する横幅の寸法の比率が４／３より大きく設定されている。ＬＣＤ４１の縦幅に対する横幅の比率は８／３となっている。
【００４９】
ＬＣＤ４１は、図４に示すように、操作パネル４の幅方向の中央に配置されている。ＬＣＤ４１の幅寸法は、操作パネル４の幅寸法に比べると十分に小さい。したがって、ＬＣＤ４１の側方には、操作パネル４に各種操作キー４０Ａ，４０Ｂ，４０Ｃ，４０Ｄを配置するためのスペースが確保されている。ＬＣＤ４１を操作パネル４の中央に配置することにより、ＬＣＤ４１の左右両側に各種操作キー４０Ａ，４０Ｂ，４０Ｃ，４０Ｄを配置することができる。これにより、各種操作キー４０Ａ，４０Ｂ，４０Ｃ，４０Ｄの配置に対するＬＣＤ４１の位置のバランスがよくなる。
【００５０】
操作パネル４には、大別して、ＬＣＤ４１の左隣に設けられた操作キー４０Ａ、ＬＣＤ４１の右隣に設けられたモードキー４０Ｂ、操作パネル４の右端側に設けられた操作キー４０Ｃ、操作パネル４の左端側に設けられた番号入力キー４０Ｄ、の４つが設けられている。操作キー４０Ａとモードキー４０Ｂとは、ＬＣＤ４１の側縁に沿って各々一列に配置されている。このように、ＬＣＤ４１の左右両側に操作キー４０Ａとモードキー４０Ｂとを配置することにより、ＬＣＤ４１の側方のスペースを有効利用できる。
【００５１】
なお、操作キー４０Ａは、プレビューキー５０を備えている。プレビューキー５０への入力により、スキャナ３の読み取りにより得られたファクシミリデータを、ファクシミリ送信前に、ＬＣＤ４１に表示させることができる。ユーザは、ＬＣＤ４１に表示された画像を確認することにより、スキャナ３により原稿が正常に読み取られたか否かを、送信前に判断することができる。
【００５２】
また、モードキー４０Ｂは、ファクシミリモード、コピーモード、スキャナモード、メディアモードのうち、それぞれいずれかのモードが一対一に割り当てられた複数のキーから構成される。モードキー４０Ｂのうち所望のキーへの入力により、そのキーに割り当てられたモードを設定することができる。
【００５３】
また、操作キー４０Ｃは、スタートキー５１および矢印キー５２を備えている。ユーザは、スタートキー５１への入力により、ファクシミリ送信の開始や、外部装置またはメモリカードから受け取ったデータの印刷開始を指示することができる。また、ユーザは、矢印キー５２への入力により、上方向、下方向、右方向、左方向のいずれかを指示することができる。
【００５４】
図４（ｂ）は、番号入力キー４０Ｄの構成を示す部分平面図である。図４（ｂ）に示すように、番号入力キー４０Ｄは、０から９までの数字に対応した数字キーＮＫと、記号＊（アスタリスク）に対応した＊キーＳＫ１と、記号＃（シャープ）に対応した＃キーＳＫ２との１２個のキーがひとかたまりに配置されている。ファクシミリモードが設定されているときに、ユーザにより、数字キーＮＫ、＊キーＳＫ１、＃キーＳＫ２への入力がされると、その入力されたキーに対応する数字または／および記号で構成される番号が、ファクシミリ番号として設定される。ここで、数字または／および記号で構成されるファクシミリ番号、とは、数字のみで構成されるファクシミリ番号、記号のみで構成されるファクシミリ番号、数字と記号とから構成されるファクシミリ番号を含む意味である。
【００５５】
なお、本実施例の複合機１においては、図４（ｂ）に示すように、平面視において、０キーＮＫ０の左側に＊キーＳＫ１が配置され、０キーＮＫ０の右側に＃キーＳＫ２が配置され、０〜９キーＮＫと＊キーＳＫ１および＃キーＳＫ２は略矩形内に収められ、３，６，９キーＮＫおよび＃キーＳＫ２が略直線状に並び、１，４，７キーおよび＊キーＳＫ１もまた略直線状に並んでいる。さらにそれら並びと略直交した直線状に＊キーＳＫ１、０キーＮＫ０、＃キーＳＫ２が並ぶようになっている。そのため、使用者は略矩形内で手を動かすだけで０〜９キーＮＫの操作ならびに＊キーＳＫ１あるいは＃キーＳＫ２の操作を容易に行うことが出来る。また、＊キーＳＫ１と＃キーＳＫ２が略直線状に０キーＮＫ０を挟んで相対しており、＊キーＳＫ１と＃キーＳＫ２とが反対の役目を持つことが直感的にわかりやすいようになっている。また、数字キーＮＫではない＊キーＳＫ１と＃キーＳＫ２で挟まれた０キーＮＫ０が特別な役目を持つことが直感的にわかりやすいようにもなっている。
【００５６】
次に、図５のフローチャートを参照して、上記のように構成された複合機１で実行される処理について説明する。図５は、メイン処理を示すフローチャートである。メイン処理は、複合機１において電源が投入されると起動する処理である。
【００５７】
まず、モードメモリ２３ａ（図３参照）を参照し、ファクシミリモードが設定されているか否かを判断する（Ｓ２）。ファクシミリモードが設定されている場合（Ｓ２：Ｙｅｓ）、ファクシミリ処理を実行する（Ｓ４）。なお、ファクシミリ処理（Ｓ４）については、図６を参照して後述する。ファクシミリモードが設定されていない場合（Ｓ２：Ｎｏ）、Ｓ４の処理をスキップする。
【００５８】
次に、モードメモリ２３ａを参照し、メディアモードが設定されているか否かを判断する（Ｓ６）。メディアモードが設定されている場合（Ｓ６：Ｙｅｓ）、次に、外部装置がＵＳＢ端子７１（図３参照）に接続され、またはメモリカードがスロット部７２に挿入されたか否かを判断する（Ｓ８）。外部装置がＵＳＢ端子７１に接続され、またはメモリカードがスロット部７２に挿入されている場合（Ｓ８：Ｙｅｓ）、メディア処理を実行する（Ｓ１０）。なお、メディア処理（Ｓ１０）については、図７を参照して後述する。メディアモードが設定されていない場合（Ｓ６：Ｎｏ）はＳ８，Ｓ１０をスキップする。また、外部装置が接続されておらず且つメモリカードがスロット部７２に挿入されていない場合（Ｓ８：Ｎｏ）、Ｓ１０をスキップする。
【００５９】
次に、モードメモリ２３ａを参照し、ファクシミリモードまたはメディアモード以外のモードが設定されているかを確認する（Ｓ１２）。ファクシミリモードまたはメディアモード以外のモードが設定されている場合（Ｓ１２：Ｙｅｓ）、設定されているモードに対応した処理を実行し（Ｓ１４）、Ｓ２の処理に戻る。一方、ファクシミリモードまたはメディアモードが設定されている場合（Ｓ１２：Ｎｏ）、Ｓ２の処理に戻る。このメイン処理によれば、ユーザにより設定されたモードに応じた動作が実行される。
【００６０】
図６を参照して、ファクシミリ処理について説明する。図６は、ファクシミリモードが設定されている場合に実行されるファクシミリ処理（Ｓ４）を示すフローチャートである。ファクシミリ処理では、まず、番号入力キー４０Ｄ（図４（ｂ）参照）への入力がされたか否かを判断する（Ｓ４２）。番号入力キー４０Ｄへの入力がされた場合（Ｓ４２：Ｙｅｓ）、ユーザにより入力されたキーに対応する数字（０〜９）または記号（＃または＊）で構成される番号を、送信先のファクシミリ番号として設定する（Ｓ４４）。すなわち、番号入力キー４０Ｄへの入力に応じて、数字および／または記号で構成されるファクシミリ番号を得る。
【００６１】
次に、プレビューキー５０（図４（ａ）参照）への入力がされたか否かを判断する（Ｓ４６）。プレビューキー５０への入力がない場合（Ｓ４６：Ｎｏ）、ファクシミリ番号として必要な桁数の数字または記号が設定済みであるか否かを判断する（Ｓ４８）。ファクシミリ番号として必要な桁数が未だ設定されていない場合（Ｓ４８：Ｎｏ）、Ｓ４２の処理に戻る。
【００６２】
一方、ファクシミリ番号として必要な桁数の数字または記号が設定済みであり（Ｓ４８：Ｙｅｓ）、スタートキー５１への入力がされた場合（Ｓ５０）、原稿トレイ９（図１参照）に載置された原稿の画像を、スキャナ３により読み取る（Ｓ５２）。そして、得られたファクシミリデータを、入力されたファクシミリ番号の相手先へ送信する（Ｓ８５）。なお、スタートキー５１への入力がない場合（Ｓ５０：Ｎｏ）、Ｓ４２の処理に戻る。
【００６３】
このようにして、処理を繰り返すうち、プレビューキー５０への入力がされると（Ｓ４６：Ｙｅｓ）、次に、ファクシミリ番号として必要な桁数の数字または記号が設定済みか否かを判断する（Ｓ５８）。未だ必要な桁数の番号が設定されていない場合（Ｓ５８：Ｎｏ）、スピーカ７４（図３参照）を鳴動して拒否音を出力し（Ｓ６０）、Ｓ４２の処理に戻る。これにより、プレビューキー５０の押下の前に、ファクシミリ番号の設定をすべきことをユーザに通知し、正しい順序で操作を進行させることができる。
【００６４】
一方、ファクシミリ番号として必要な桁数の数字または記号が設定済みの場合（Ｓ５８：Ｙｅｓ）、原稿トレイ９に載置された原稿をスキャナ３により読み取る（Ｓ６４）。そして、得られたファクシミリデータに対応する画像を、ＬＣＤ４１に表示する（Ｓ６６）。すなわち、ＬＣＤ４１に表示すべき画像に対応する画像データをＣＰＵ２１が表示メモリに記憶させ、ＬＣＤコントローラ２８が画像データを基にＬＣＤ４１に画像を表示させる。これにより、ユーザは、スキャナ３により実際に得られたファクシミリデータを、送信前に確認することができる。なお、このとき表示されるＬＣＤ４１に表示される画像は、原稿の１ページ目に対応する画像であって、原稿の長辺方向が、ＬＣＤ４１の長辺方向に一致するように表示される（図８（ｂ）参照）。
【００６５】
次に、番号入力キー４０Ｄのうち、＊キーＳＫ１への入力がされたか否かを判断する（Ｓ６８）。＊キーＳＫ１への入力がされた場合（Ｓ６８：Ｙｅｓ）、ＬＣＤ４１に表示されたファクシミリデータに対応した画像を、例えば１２５％の倍率で拡大する（Ｓ７０）。これにより、例えば、スキャナ３により読み取った原稿の文字が小さく視認し難い場合であっても、簡単な操作で拡大表示し、詳細に確認することができる。一方、＊キーＳＫ１への入力がない場合（Ｓ６８：Ｎｏ）、Ｓ７０の処理をスキップする。
【００６６】
次に、番号入力キー４０Ｄのうち、＃キーＳＫ２への入力がされたか否かを判断する（Ｓ７２）。＃キーＳＫ２への入力がされた場合（Ｓ７２：Ｙｅｓ）、ＬＣＤ４１に表示されたファクシミリデータに対応した画像を、例えば８０％の倍率で縮小する、あるいは、＊キーＳＫ１の操作により拡大した画像を、元の倍率に戻すことができる（Ｓ７４）。一方、＃キーＳＫ２への入力がされない場合（Ｓ７２：Ｎｏ）、Ｓ７４の処理をスキップする。
【００６７】
次に、番号入力キー４０Ｄのうち、０が割り当てられた数字キーＮＫ０（以下、０キーＮＫ０と称する）への入力がされたか否かを判断する（Ｓ７６）。０キーＮＫ０への入力がされた場合（Ｓ７６：Ｙｅｓ）、ＬＣＤ４１に表示されたファクシミリデータに対応した画像を、右回りに９０°回転する（Ｓ８０）。一方、０キーＮＫ０への入力がない場合（Ｓ７６：Ｎｏ）、Ｓ８０の処理をスキップする。
【００６８】
上述したように、ＬＣＤ４１に表示されるファクシミリデータに対応した画像は、最初、原稿の長辺方向とＬＣＤ４１の長辺方向（横方向）とが一致するように表示される（図８（ａ）参照）。したがって、原稿がポートレート（縦長）である場合には、原稿の縦方向とＬＣＤ４１の横方向とが一致する方向に画像が表示されるので、複合機１の前方にいるユーザから見ると、閲覧する向きとは９０°ずれた向きで画像が表示されることとなる。
【００６９】
特に、原稿に文字が印刷されていると、その文字が９０°ずれた向きで表示されることとなり、ユーザにとって読み難い。したがって、０キーＮＫ０への入力により、画像を９０°回転させ、原稿の短辺方向（横方向）をＬＣＤ４１の長辺方向（横方向）と一致させると、複合機１の前方にいるユーザから見て、閲覧する向きと画像の向きとを合わせることができる。なお、回転された画像の全領域がＬＣＤ４１に表示されるように（すなわち、１ページ分の画像の上端から下端までが、ＬＣＤ４１の縦方向長さに収まるように）、画像の回転と同時に画像が縮小されるように処理を行ってもよい。
【００７０】
次に、スタートキー５１への入力がされたか否かを判断する（Ｓ８１）。スタートキー５１への入力がない場合（Ｓ８１：Ｎｏ）、次に、その他のキー（すなわち、＊キーＳＫ１、＃キーＳＫ２、数字キーＮＫ、スタートキー５１以外のキー）への入力がされたか否かを判断する（Ｓ８２）。その他のキーへの入力がされた場合（Ｓ８２：Ｙｅｓ）、入力されたキーに対応する処理を実行し（Ｓ８３）、Ｓ６８の処理に戻る。また、その他のキーへの入力がない場合（Ｓ８２：Ｎｏ）は、Ｓ８３の処理をスキップしてＳ６８に戻り、処理を繰り返す。すなわち、ＬＣＤ４１に表示されたファクシミリデータに対応した画像を、ユーザの操作に従って、拡大し、縮小し、または回転させる。
【００７１】
一方、スタートキー５１への入力がされると（Ｓ８１：Ｙｅｓ）、そのスタートキー５１への入力を受けることを条件として、スキャナ３により得られたファクシミリデータを、設定済みのファクシミリ番号の相手先へ送信する（Ｓ８５）。次に、ユーザにより、ファクシミリモード以外の他のモードが設定されたか否かを判断する（Ｓ８６）。他のモードが設定されない場合（Ｓ８６：Ｎｏ）、Ｓ４２に戻り、処理を繰り返す。そして、このように処理を繰り返すうち、ユーザにより他のモードが設定されると（Ｓ８６：Ｙｅｓ）、ファクシミリ処理を終了する。
【００７２】
図７を参照して、メディア処理（Ｓ１０）について説明する。図７は、メディア処理（Ｓ１０）を示すフローチャートである。
【００７３】
まず、接続された外部装置またはメモリカードからデータを受け取る（Ｓ１０１）。なお、本実施例において、外部装置やメモリカードから受け取ったデータは、ひとまとまりのデータとして管理される画像ファイルを、１以上含むものとして説明する。そして、受け取った画像ファイルの各々には、管理番号が対応付けられ、ＲＡＭ２３（図３参照）に格納される。
【００７４】
次に、メニュー画面をＬＣＤ４１に表示する（Ｓ１０２）。メニュー画面は、外部装置やメモリカードから受け取った画像ファイルに対応する縮小画像を、ＬＣＤ４１に一覧表示するインデックス画像表示画面と、画像ファイルに対応する画像を１つずつＬＣＤ４１に表示するメディア画像表示画面と、表示や印刷の設定を変更するための設定画面とのうち、いずれを表示するかをユーザに選択させるための画面である。
【００７５】
そして、メディア画像表示フラグ（図示せず）をオフにし（Ｓ１０３）、次に、ユーザにより、メディア画像表示画面が選択されたか否かを判断する（Ｓ１０４）。メディア画像表示画面以外の画面（インデックス画像表示画面、設定画面）が選択された場合（Ｓ１０４：Ｎｏ）、選択された画面を表示する（Ｓ１０６）。一方、メディア画像表示画面が選択された場合（Ｓ１０４：Ｙｅｓ）、メディア画像表示画面を表示し、メディア画像表示フラグをオンにする（Ｓ１０８）。まず、管理番号が最小の画像ファイルがＲＡＭ２３から読み出され、その画像ファイルに対応した画像が、ＬＣＤ４１に表示される。なお、このとき、画像の長辺方向がＬＣＤ４１の長辺方向に一致するように、画像が表示される（図８（ａ）参照）。
【００７６】
次に、＃キーＳＫ２への入力がされたか否かを判断する（Ｓ１１０）。＃キーＳＫ２への入力がされた場合（Ｓ１１０：Ｙｅｓ）、メディア画像表示画面を表示中か否かを判断する（Ｓ１１２）。メディア画像表示フラグがオンであることに基づいて、メディア画像表示画面を表示中であると判断された場合（Ｓ１１２：Ｙｅｓ）、ＬＣＤ４１に表示されている、画像ファイルに対応した画像を、９０°右回りに回転する（Ｓ１１４）。
【００７７】
一方、メディア画像表示フラグがオフであることに基づいて、メディア画像表示画面以外の画面（インデックス画像表示画面、設定画面）が表示中であると判断された場合（Ｓ１１２：Ｎｏ）、ユーザにより選択された表示中の画面に沿った処理をし（Ｓ１３８）、Ｓ１４０の処理に移行する。なお、＃キーＳＫ２への入力がない場合（Ｓ１１０：Ｎｏ）、Ｓ１１２，Ｓ１１４の処理をスキップする。
【００７８】
次に、＊キーＳＫ１への入力がされたか否かを判断する（Ｓ１１６）。＊キーＳＫ１への入力がされた場合（Ｓ１１６：Ｙｅｓ）、メディア画像表示画面を表示中か否かを判断する（Ｓ１１８）。メディア画像表示フラグがオンであることに基づいて、メディア画像表示画面を表示中であると判断された場合（Ｓ１１８：Ｙｅｓ）、ＬＣＤ４１に表示されている、画像ファイルに対応した画像を、９０°左回りに回転する（Ｓ１２０）。一方、メディア画像表示フラグがオフであることに基づいて、メディア画像表示画面以外の画面（インデックス画像表示画面、設定画面）が表示中であると判断された場合（Ｓ１１８：Ｎｏ）、ユーザにより選択された表示中の画面に沿った処理をし（Ｓ１３８）、Ｓ１４０の処理に移行する。なお、＊キーＳＫ１への入力がない場合（Ｓ１１６：Ｎｏ）、Ｓ１１８，Ｓ１２０の処理をスキップする。
【００７９】
次に、数字キーＮＫへの入力がされたか否かを判断する（Ｓ１２２）。数字キーＮＫへの入力がされた場合（Ｓ１２２：Ｙｅｓ）、メディア画像表示画面を表示中か否かを判断する（Ｓ１２４）。メディア画像表示フラグがオンであることに基づいて、メディア画像表示画面を表示中であると判断された場合（Ｓ１２４：Ｙｅｓ）、入力された番号（管理番号）で特定される画像ファイルをＲＡＭ２３から読み出し、その画像ファイルに対応した画像を表示する（Ｓ１２６）。一方、メディア画像表示フラグがオフであることに基づいて、メディア画像表示画面以外の画面（インデックス画像表示画面、設定画面）が表示中であると判断された場合（Ｓ１２４：Ｎｏ）、ユーザにより選択された表示中の画面に沿った処理をし（Ｓ１３８）、Ｓ１４０の処理に移行する。なお、数字キーＮＫへの入力がない場合（Ｓ１２２：Ｎｏ）、Ｓ１２４，Ｓ１２６の処理をスキップする。
【００８０】
次に、スタートキー５１への入力がされたか否かを判断する（Ｓ１２８）。スタートキー５１への入力がされた場合（Ｓ１２８：Ｙｅｓ）、メディア画像表示画面を表示中か否かを判断する（Ｓ１３０）。メディア画像表示フラグがオンであることに基づいて、メディア画像表示画面を表示中であると判断された場合（Ｓ１３０：Ｙｅｓ）、表示中の画像をプリンタ２により印刷する（Ｓ１３２）。一方、メディア画像表示フラグがオフであることに基づいて、メディア画像表示画面以外の画面を表示中であると判断された場合（Ｓ１３０：Ｎｏ）、ユーザにより選択された表示中の画面に沿った処理をし（Ｓ１３８）、Ｓ１４０の処理に移行する。なお、スタートキー５１が押下されない場合（Ｓ１２８：Ｎｏ）、Ｓ１３０，Ｓ１３２の処理をスキップする。
【００８１】
次に、その他のキー（すなわち、＊キーＳＫ１、＃キーＳＫ２、数字キーＮＫ、スタートキー５１以外のキー）への入力がされたか否かを判断する（Ｓ１３４）。その他のキーへの入力がされた場合（Ｓ１３４：Ｙｅｓ）、入力されたキーに対応する処理を実行する（Ｓ１３６）。例えば、メニュー画面の表示を指示するキー（図示せず）が操作された場合には、メニュー画面を表示するＳ１０２の処理に戻る。なお、その他のキーへの入力がない場合（Ｓ１３４：Ｎｏ）、Ｓ１３６の処理をスキップする。
【００８２】
次に、ユーザによりメディアモード以外の他のモードが設定されたか否かを判断する（Ｓ１４０）。ユーザにより他のモードが設定されない場合（Ｓ１４０：Ｎｏ）、Ｓ１０３の処理に戻る。なお、Ｓ１０３の処理に戻り、他の表示画面を選択する操作が行われなければ、そのままメディア画像表示画面を表示し、メディア画像表示フラグをオンにするが（Ｓ１０８）、他の表示画面が選択された場合（Ｓ１０４：Ｎｏ）、選択された画面に切り換える（Ｓ１０６）。そして、このようにして処理を繰り返すうちに、ユーザにより他のモードが設定されると（Ｓ１４０：Ｙｅｓ）、メディア処理（Ｓ１０）を終了する。
【００８３】
図８は、ＬＣＤ４１に表示される画像の一例を示す図であり、（ａ）は、メディアモードにおいて、ＬＣＤ４１に表示されるメディア画像表示画面の一例を示す図である。
【００８４】
図８（ａ）に示すように、メディア画像表示画面は、画像Ｐが表示される画像表示領域４１ａと、管理番号表示領域４１ｂと、対応機能表示領域４１ｃとから構成される。
【００８５】
管理番号表示領域４１ｂには、現在設定中の管理番号と、外部装置またはメモリカードから受け取った画像ファイルの総数とが、／（スラッシュ）により区切られて表示される。ユーザは、管理番号表示領域４１ｂを確認することにより、外部から受け取った画像ファイルの総数と、画像表示領域４１ａに表示中の画像Ｐに対応した管理番号とを知ることができる。たとえば、図８（ａ）の管理番号表示領域４１ｂにおける「００３／１００」の表示は、受け取った１００の画像ファイルのうち、管理番号００３の画像ファイルに対応した画像Ｐを表示中であることを示している。
【００８６】
そして画像表示領域４１ａに表示されている画像Ｐの切り換えを所望する場合、ユーザは数字キーＮＫを利用して、新たに表示したい画像Ｐに対応した管理番号を入力すれば良い。数字キーＮＫから新たな管理番号が入力されると、その新たな管理番号で特定される画像ファイルが読み出され、その画像ファイルに対応した画像がＬＣＤ４１に表示される。
【００８７】
対応機能表示領域４１ｃには、メディア画像表示画面が表示されている間、各キーに割り当てられている機能が、視覚的に示される。ユーザは、この対応機能表示領域４１ｃを確認することにより、例えば、画像Ｐを９０°右回転させる機能が、＃キーＳＫ２に対応し、画像Ｐを９０°左回転させる機能が、＊キーＳＫ１に対応することを知ることができる。また、例えば、スタートキー５１への入力により、現在ＬＣＤ４１に表示される画像の印刷を指示できることを知ることができる。
【００８８】
ここで、画像表示領域４１ａにおいて、ＬＣＤ４１の長辺方向と、画像Ｐの長辺方向とが一致するように、画像Ｐが表示されると、図８（ａ）に示すように、ポートレート（縦長）の画像Ｐは、操作パネル４の前方にいるユーザが閲覧する向きと９０°ずれた向きに表示されることとなる。よって、ユーザは、＃キーＳＫ２への入力により、この画像Ｐを９０°右回転させ、閲覧する向きと一致する見易い向き（すなわち、画像Ｐの縦方向がＬＣＤ４１の縦方向に一致する向き）に画像Ｐの向きを変更することができる。
【００８９】
さらに、対応機能表示領域４１ｃには、印刷部数入力ボックス４１ｄが設けられている。印刷部数入力ボックス４１は、設定された印刷部数が表示されるボックスである。ユーザによりスタートキー５１への入力がされると、ＬＣＤ４１に表示中の画像Ｐが、印刷部数入力ボックス４１ｄに表示された部数分、印刷される。なお、いずれのキーを利用して、印刷部数の設定をさせるかは、種々設計変更可能であるが、例えば、矢印キー５２への入力により、例えば上方向を１回指示する毎に、印刷部数入力ボックス４１ｄに表示された部数を１増加させ、矢印キー５２により下方向を１回指示する毎に、印刷部数入力ボックス４１ｄに表示された部数を１減少させるように構成される。
【００９０】
このように、図８（ａ）に示すメディア画像表示画面が表示されている場合、数字キーＮＫへの入力に応じて、設定された管理番号で特定される画像ファイルに対応した画像ＰをＬＣＤ４１に表示させることができ、また、表示された画像Ｐは、＊キーＳＫ１又は＃キーＳＫ２への入力に応じて回転させることができるので、ユーザにとって使い勝手が良く、また、ファクシミリ装置に従来より設けられていた数字キーＮＫ、＊キーＳＫ１および＃キーＳＫ２を効率的に利用できる。特に、数字キーＮＫを利用して管理番号を入力させるので、数字（管理番号）を入力する操作と、数字キーＮＫとの対応関係が分かり易く、ユーザにとって操作が直感的に理解しやすい。一方、管理番号の入力においては、数字キーＮＫに比べて使用し難い＊キーＳＫ１や＃キーＳＫ２は、画像回転の指示に使用でき、各キーを効率的に利用できるのである。
【００９１】
また、＊キーＳＫ１と＃キーＳＫ２とのうち、０キーＮＫ０の左側に配置される＊キーＳＫ１（図４（ｂ）参照）への入力に応じて、ＬＣＤ４１に表示された画像を左回転させ、０キーＮＫ０の右側に配置される＃キーＳＫ２への入力に応じて、ＬＣＤ４１に表示された画像を右回転させるので、各キーにより指示できる機能が、ユーザにとって直感的に理解しやすく使用が容易である。
【００９２】
図８（ｂ）は、ファクシミリモードが設定され、且つ、プレビューキー５０への入力がされたときにＬＣＤ４１に表示されるプレビュー画面である。
【００９３】
図８（ｂ）に示すように、プレビュー画面は、スキャナ３により読み取った原稿に対応する画像Ｐが表示される画像表示領域４１ｅと、対応機能表示領域４１ｆとから構成される。
【００９４】
スキャナ３により複数枚の原稿を読み取った場合、１ページ目の原稿に対応した画像ＰがＬＣＤ４１に表示される。なお、ＬＣＤ４１に表示されるページについては、例えば、矢印キー５２への入力により右方向が１回指示されると次ページの原稿に対応する画像Ｐが表示され、矢印キー５２への入力により左方向が１回指示されると前ページの原稿に対応する画像Ｐが表示されるように構成しても良い。
【００９５】
対応機能表示領域４１ｆには、プレビュー画面がＬＣＤ４１に表示されている間、各キーに割り当てられている機能が、視覚的に示される。ユーザは、この対応機能表示領域４１ｆを確認することにより、画像Ｐを９０°右回転させる機能が、０キーＮＫ０に対応することを知ることができる。また、例えば、スタートキー５１への入力により、ファクシミリデータの送信開始を指示できることを知ることができる。
【００９６】
ここで、図８（ｂ）に示すように、画像表示領域４１ｅにおいて、ＬＣＤ４１の長辺方向と、画像Ｐの長辺方向（すなわち原稿の長辺方向）とが一致するように、画像Ｐが表示される場合、操作パネル４の前方にいるユーザから見ると、ポートレート（縦長）の画像Ｐは、閲覧する向きと９０°ずれた向きに表示され、見難い画面構成となる。特に、文字が横向きに表示されると、ユーザにとって見難い。よって、０キーＮＫ０への入力により、この画像Ｐを９０°右回転させることにより、ユーザは、閲覧する向きと画像Ｐの向きとを一致させて（すなわち、画像Ｐの縦方向がＬＣＤ４１の縦方向に一致する向きで）表示させることができる。
【００９７】
また、ファクシミリデータの内容を詳細に目視したい場合、ユーザは、＊キーＳＫ１への入力に応じて画像Ｐを拡大させ、０キーＮＫ０への入力に応じて画像Ｐを見易い向きに回転させることができる。また、拡大させた画像Ｐは、＃キーＳＫ２への入力に応じて縮小させることができる。ユーザは、これらの回転、拡大、縮小を指示するための操作を、番号入力キー４０Ｄのみで行うことができるので、操作が容易である。すなわち、番号入力キー４０Ｄを用いて、ファクシミリ番号の設定した後、操作パネル４上のあちこちのキーを操作する必要がないので、ユーザにとって使い勝手が良いのである。
【００９８】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００９９】
例えば、本実施例では、メディア画像表示画面（図８（ａ）参照）の表示中に数字キーＮＫへの入力がされると、その入力に基づいて管理番号を設定していたが、これに替えて、数字キーＮＫへの入力により、印刷部数を設定するように構成してもよい。
【０１００】
また、メディア画像表示画面の画像表示領域４１ａには、１つの画像ファイルに対応した１つの画像Ｐが表示されるものとして説明したが、これに替えて、２以上の数の画像Ｐを並べて表示させるものであってもよい。
【０１０１】
また、メディア画像表示画面の表示中に、＊キーＳＫ１または＃キーＳＫ２への入力がされると、ＬＣＤ４１に表示された画像Ｐを回転させるものとして説明したが、これに替えて、＊キーＳＫ１または＃キーＳＫ２への入力がされると、ＬＣＤ４１に表示された画像Ｐを拡大し又は縮小するものであっても良い。
【０１０２】
また、メディア画像表示画面において、数字キーＮＫへの入力により管理番号が設定されるものとして説明したが、これに替えて、またはこれに加えて、例えば、矢印キー５２への入力により左方向が指示された場合、現在表示される管理番号の１つ前の管理番号を新たに設定し、矢印キー５２により右方向が指示された場合、現在表示される管理番号の１つ後の管理番号を新たに設定するように構成しても良い。
【０１０３】
また、プレビュー画面（図８（ｂ）参照）において、ＬＣＤ４１には、原稿１ページ分の画像Ｐが表示されるものとして説明したが、これに替えて、ポートレート（縦長）の画像Ｐが、その縦方向がＬＣＤ４１の縦方向と一致する向きで表示される場合には、画像表示領域４１ｅにおいて、原稿２ページ分の画像Ｐが並べて表示されるように構成してもよい。特に、上述の実施例で説明したように、大型且つ横長のＬＣＤ４１が用いられる場合、例えば、Ａ判サイズやレターサイズの複数の原稿に対応した画像を縦向きにしてＬＣＤ４１に表示させた場合でも、表示された画像やそれに含まれる文字などの視認性が良い状態で、２ページ分以上の画像を横方向に並べて一画面内に表示させることができるのである。
【０１０４】
また、プレビュー画面において、数字キーＮＫへの入力により表示枚数を設定させ、設
定された枚数の原稿に対応した画像Ｐが、画像表示領域４１ｅに表示されるように構成しても良い。
【０１０５】
また、上述した実施例では、ファクシミリモードの設定時にプレビューキー５０が操作された場合について説明したが、コピーモードの設定時にプレビューキー５０が操作された場合においても、スキャナ３により得られたデータに対応した画像をＬＣＤ４１に表示するように構成してもよい。また、接続されたＰＣから印刷データを受け取った場合、その印刷データにより印刷される画像を、印刷前にＬＣＤ４１に表示するように構成しても良い。これらの場合においても、上述した実施例と同様に、数字キーＮＫまたは＊キーＳＫ１、＃キーＳＫ２の操作により、画像Ｐが拡大、縮小、または回転するように構成してもよい。
【図面の簡単な説明】
【０１０６】
【図１】本発明における実施例の複合機の外観構成を示す斜視図である。
【図２】原稿カバーが開けられた状態の複合機の外観構成を示す斜視図である。
【図３】複合機の制御部の概略構成を示すブロック図である。
【図４】（ａ）は、操作パネルの構成を示す部分平面図であり、（ｂ）は、番号入力キーの構成を示す部分平面図である。
【図５】メイン処理を示すフローチャートである。
【図６】ファクシミリ処理を示すフローチャートである。
【図７】メディア処理を示すフローチャートである。
【図８】（ａ）は、メディアモードにおいて、ＬＣＤに表示されるメディア画像表示画面の一例を示す図であり、（ｂ）は、ファクシミリモードが設定され、且つ、プレビューキーが押下されたときにＬＣＤに表示されるプレビュー画面である。
【符号の説明】
【０１０７】
１                  複合機（ファクシミリ装置）
３                  スキャナ（読取手段）
４０Ｄ              番号入力キー（複数のキー）
４１                ＬＣＤ（表示手段）
５０                プレビューキー（特定のキー）
Ｓ４４              ファクシミリ番号取得手段
Ｓ６６              プレビュー手段
Ｓ７０              表示画像編集手段
Ｓ７４              表示画像編集手段
Ｓ８０              表示画像編集手段
Ｓ８５              送信手段
Ｓ１０１            受取手段
Ｓ１１４            表示画像編集手段
Ｓ１２０            表示画像編集手段
Ｓ１２６            画像表示制御手段
ＮＫ                数字キー
ＮＫ０              ０キー（１つの数字キー、所定のキー）
ＳＫ１              ＊キー（所定のキー）
ＳＫ２              ＃キー（所定のキー）
【図１】
2007306178.tif 000003
【図２】
2007306178.tif 000004
【図３】
2007306178.tif 000005
【図４】
2007306178.tif 000006
【図５】
2007306178.tif 000007
【図６】
2007306178.tif 000008
【図７】
2007306178.tif 000009
【図８】
2007306178.tif 000010